(57)【要約】【課題】こじ開けに手間・時間がかかるものでありながら、通常の解錠操作は簡単に行えるようなシャッターの施錠装置を提供する。【解決手段】建物開口部を開閉するシャッターカーテン３の下端の座板４に、複数の錠本体７を設け、該開口部下枠には、各錠本体７に対応して複数の錠受８をそれぞれ設け、各錠本体７はシャッターカーテン３の下降に伴って自動的に対応する錠受８に係止し、該複数の錠本体７は座板４の室内側部位に設けた一つの解錠操作レバー１２に連携されており、解錠操作レバー１２によって一斉解錠される。【選択図】図２
2005188238.tif 000002
【特許請求の範囲】
【請求項１】
建物開口部を開閉するシャッターカーテンの下端の座板に、建物開口部の幅方向に間隔を存して複数の錠本体を設け、該建物開口部下枠には、各錠本体に対応して建物開口部の幅方向に間隔を存して複数の錠受をそれぞれ設け、各錠本体はシャッターカーテンの下降に伴って自動的に対応する錠受に係止して施錠状態となるように構成されており、該複数の錠本体は該座板の室内側部位に設けた一つの解錠操作レバーに連携されており、該複数の錠本体は該解錠操作レバーの解錠操作によって一斉解錠可能に構成されていることを特徴とするシャッターの施錠装置。
【請求項２】
請求項１において、該複数の錠受は、建物開口部の幅方向に移動可能に構成されていることを特徴とするシャッターの施錠装置。
【発明の詳細な説明】
【技術分野】
【０００１】
本発明は、シャッターの施錠装置に関するものである。
【背景技術】
【０００２】
建物開口部に設置したシャッター装置をこじ開けて建物内への侵入を試みようとする犯罪が起きている。通常、シャッター装置には施錠装置を設けることで、シャッターの開放を防止しているが、防犯性能をより高めるには、こじ開けにより手間・時間がかかるような工夫を施すことが有利である。
【特許文献１】特開２００２−３６４２７５号
【発明の開示】
【発明が解決しようとする課題】
【０００３】
本発明は、こじ開けに手間・時間がかかるものでありながら、通常の解錠操作は簡単に行えるようなシャッターの施錠装置を提供することを目的とするものである。
【課題を解決するための手段】
【０００４】
かかる課題を達成するために本発明が採用した技術手段は、建物開口部を開閉するシャッターカーテンの下端の座板に、建物開口部の幅方向に間隔を存して複数の錠本体を設け、該建物開口部下枠には、各錠本体に対応して建物開口部の幅方向に間隔を存して複数の錠受をそれぞれ設け、各錠本体はシャッターカーテンの下降に伴って自動的に対応する錠受に係止して施錠状態となるように構成されており、該複数の錠本体は該座板の室内側部位に設けた一つの解錠操作レバーに連携されており、該複数の錠本体は該解錠操作レバーの解錠操作によって一斉解錠可能に構成されていることを特徴とするものである。
【０００５】
一つの好ましい態様では、錠本体はフック部を備えた回動係止片を有し、一方、錠受は係止ピンを有し、回動係止片が回動することでフック部が係止ピンに係止して施錠状態となる。このようないわゆる鎌錠タイプの施錠装置は、座板を持ち上げるような行為に有利に対抗することができる。
【０００６】
一つの好ましい態様では、解錠操作レバーは、開口部の幅方向に延出する長尺部材であり、解錠操作レバーは、各錠本体（回動係止片）に連結された各連繋レバーに連繋されており、解錠操作レバーの操作により各連繋レバーを介して各本体錠を一斉に解除状態とするものである。
【０００７】
一つの好ましい態様では、該複数の錠受は、建物開口部の幅方向に移動可能に構成されている。すなわち、各錠受を建物開口部の幅方向に移動可能かつ所望位置で固定可能に構成することで、錠受は、建物開口部の幅方向に位置調節可能な態様で設けられる。
【発明の効果】
【０００８】
本発明は、複数の錠を用いてシャッターカーテン下端の座板と開口部下枠とを施錠するものであり、施錠装置の破壊あるいはシャッターカーテンのこじ開けに手間・時間がかかるため、防犯性能に優れる。しかも、複数の錠を用いるものでありながら、通常の解錠操作は解錠操作レバーにより一斉解除することができる。また、錠受を開口部幅方向に移動可能としたものでは、座板側の錠本体と開口部下枠側の錠受との位置調整を行うことができ、複数の錠を用いるものであっても、施錠装置の取り付けを良好に行うことができる。
【発明を実施するための最良の形態】
【０００９】
図１は、開口部全閉時における、シャッター装置の概略正面図である。シャッター装置は、建物開口部の左右端部に立設した左右の枠体、すなわち、ガイドレール１と、建物開口部の上方に設けたシャッターケース２と、建物開口部を開閉するシャッターカーテン３とシャッターカーテン３の下端に設けた座板４を有する。シャッターカーテン３は複数枚のスラット３０を上下に連設して構成されており、その上端はシャッターケース２内に水平状に設けた図示しない巻取シャフトに連結されており、建物開口部開放時には、シャッターカーテン３は該巻取シャフトに巻装されている。建物開口部閉鎖時には、シャッターカーテン３は、該巻取シャフトから繰り出され、スラット３０の両端部が左右のガイドレール１に案内されながら下降して行き、シャッターカーテン３の最下端に設けた座板４が開口部下枠に着床することで建物開口部を全閉する。座板４の長さ方向両端部位には、座板４の室内側部位に位置して、ガイドレール１に近接する位置にストッパ５が設けてあり、ストッパ５は、シャッターカーテン３の上昇時に、それが開口部上方部位のまぐさ部に当接することでシャッターカーテン３の巻き込みを防止する。
【００１０】
建物開口部の下面を形成する下枠は、いわゆる水切板６であって、水切板６は、建物開口部の幅方向に延出する長手部材である。水切板６は、また、図５に示すように、断面視において、室内側に位置する第１片６０と室外側に位置する第２片６１とから段部状に形成されており、第１片６０は室内側から室外側へ緩やかに傾斜する傾斜片であり、第２片６１は水平片である。第１片６０と第２片６１は、鉛直方向に延出する縦片６２によって連結されて一体化されている。第２片の室外側先端には、断面視Ｌ形状の水切片６３が形成されている。座板４は建物開口部の幅方向に延出する長手部材であって、座板４の室外側の面部には下方に延出する延出片４０が形成されている。建物開口部全閉時には、建物開口部下面に設けた水切板６の室外側先端に形成された水切片６３との間に合いじゃくり構造を形成して、座板４と水切板６との間の隙間をなるべく無くすようにしている。
【００１１】
本発明に係る施錠装置は、いわゆる鎌錠タイプの施錠装置であり、座板４側に設けた錠本体７と、開口部下枠を構成する水切板６側に設けた錠受８とで構成される。錠本体７は、座板４の室内側の面部４１に設けてある。錠本体７は、錠ケース７０と錠ケース７０に回動可能に設けられた回動係止片７１とを有しており、錠本体７は、錠ケース７０を介して螺子９，１０によって座板４の面部４１に固着されている。錠ケース７０は、室内寄りの支持プレート７００と座板寄りの装着プレート７０２とを有しており、装着プレート７０２の左右方向の一端側を座板面部４１にスライド装着させた裏板１１に螺子９で固着し、左右方向の他端側を螺子１０で直接座板面部４１に固着してある。
【００１２】
錠ケース７０の支持プレート７００には、回動係止片７１が回動自在に装着されており、回動係止片７１は回動軸７２を介して支持プレート７００に回動可能に支持されている。回動係止片７１は施錠時に錠受８に係止するフック部７１０を備えており、フック部７１０は、二つの爪部と該爪部間に形成された溝部から形成されている。一方の爪部は他方の爪部よりも長尺に形成されており、両爪部間の溝部に後述する錠受８の係止ピンを受け入れて回動し、長尺爪部が上、短尺爪部が下となる水平状態で施錠状態となる（図４上図参照）。支持プレート７００の下端縁には、回動係止片７１のフック部７１０に対応する部位において、鉛直方向に延出する溝部７０１が切り欠き形成されている。解錠時（図２、図４下図参照）には、回動係止片７１は傾斜状の姿勢にあり、フック部７１０の一方の爪部（上側の長尺爪部）のみが溝部７１０を横切るように溝部７１０内に延出している。施錠時（図４上図参照）には、回動係止片７１は水平状の姿勢にあり、フック部７１０の両方の爪部が溝部７１０を横切るように溝部７１０内に延出している。本発明においては、このような錠本体７が、開口部の幅方向に間隔を存して複数配設されており、図示のものでは、２つの錠本体７を座板４に設けたものが例示されている。
【００１３】
座板４の室内側の面部４１には、錠本体の上方に位置して解錠レバー１２が上下方向に回動可能に設けてある。解錠操作レバー１２は開口部の幅方向に延出する長尺部材であり、水平方向に延出する支持軸１３に対して回転可能に軸支されている。図示のものでは、支持軸１３は座板４の面部４１に一体的に形成されているが、座板とは別部材で形成した支持軸を座板に装着するものでもよい。
【００１４】
解錠操作レバー１２は、断面視において略方形状を有しており、座板面部４１側の上側角部において支持軸１３に回動可能に装着されており、該上側角部を中心として上下に回動可能となっている。該上側角部と対角にある下側角部には断面視コ字状の係合片１２０が一体形成されており、係合片１２０は錠本体７の回動係止片７１に連結された連繋レバー１４に係合している。解錠操作レバー１２の下片１２１は上方に膨出する湾曲状に形成されており、湾曲下片１２１とコ字状の係合片１２０とで形成される空間に連繋レバー１４を受け入れるようになっている。連繋レバー１４は、水平片１４０と縦片１４１とからなる断面視Ｌ形状の部材であり、縦片１４１は後述するストッパ１８、板ばね１９を介して回動係止片７１に連携されている。連繋レバー１４は、水平片１４０を介して解錠操作レバー１２の係合片１２０に係合されており、解錠操作レバー１２の回動操作によって、連繋レバー１４が上動し、それに伴って、複数の回動係止片７１が一斉に回動して解錠状態となる。
【００１５】
図３左図は施錠状態にある錠本体７を示し、この状態で、解錠レバー１２は下方に回動した状態であり、断面視コ字状の係合片１２０は水平状となっており、連繋片１４は下方位置にある。この状態で、回動係止片７１のフック部７１０は水平状の施錠状態（図４上図参照）となっている。この状態から、解錠レバー１２を上方に回動すると、解錠レバー１２の回動に伴って、解錠レバー１２の係合部１２０が上方に移動し、水平部１４に係合部１２０が係合している連繋レバー１４を上昇させる。連繋レバー１４の上昇に連繋して、回動係止片７１は下方側へ回動して解錠状態となる。二つの錠本体７はそれぞれの連繋レバー１４を介して一つの解錠操作レバー１２に連繋されており、解錠操作レバー１２の回動により複数の回動係止片７１を一斉回動させることで、複数の錠を一斉解錠できるようになっている。
【００１６】
連繋レバー１４と回動係止片７１との連繋構成について図４に基づいて詳細に説明する。回動係止片７１の周縁には二つの段部７１１，７１２が形成されている。錠ケース７の支持プレート７００にはストッパ１８が軸１８０を中心に上下方向に回動可能に装着してあり、ストッパ１８の先端部位と回動係止片７１の周縁部の段部７１１とが当接しており、図４上図に示す施錠状態では、ストッパ１８の先端部が段部７１１に係止することによって回動係止片７１の水平姿勢が保持されている。ストッパ１８と回動係止片７１との間には板ばね１９が設けてある。具体的には、ストッパ１８及び回動係止片７１にはそれぞれ係止溝部が形成されており、板ばね１９の一端を回動係止片７１の係止溝部に、板ばね１９の他端をストッパ１８の係止溝部に係止させることで、ストッパ１８と回動係止片７１との間に板ばね１９が介装されている。ストッパ１８が回動してストッパ１８の先端部位と回動係止片７１の段部７１１との係合が外れて回動係止片７１の水平姿勢の保持が解除されると、板ばね１９のばね力によって回動係止片７１が下方へ回動して図４下図に示す解錠状態となる。
【００１７】
ストッパ１８の回動による回動係止片７１の水平姿勢（施錠状態）の解除は、連繋レバー１４の上動によって行われる。連繋レバー１４の縦片１４１には長孔１４２が形成されており、長孔１４２を介してストッパ１８の基端部位の軸１８１を挿通させてある。解除操作レバー１２の解錠操作によって連繋レバー１４を上動させると、縦片１４１の長孔１４２に係合しているストッパ１８の軸１８１が上動し、ストッパ１８は軸１８０を中心に先端部位が下方に回動して、回動係止片７１の段部７１１との係止が一端解除され、板バネ１９によって、回動係止片７１が下方側へ回動して、ストッパ１８の先端部位が回動係止片７１の段部７１２に係止して図４下図に示す解錠姿勢となる。尚、連繋レバー１４の縦片１４１に形成された長孔１４２の上下方向の寸法は、連繋レバー１４の上下動のストロークに対応している。解錠操作レバー１２を上方に回動させて連繋レバー１４を上動させると、回動係止片７１は下方に回動した解錠状態を維持するが、連繋レバー１４は長孔１４２を介して下方に移動し、解錠操作レバー１２は図３左図に示す状態に復帰する。
【００１８】
解錠姿勢において、ストッパ１８の先端部位は回動係止片７１の周縁部の段部７１２に当接している。施錠時には、シャッターカーテンの下降に伴って、錠受８の係止ピン８３が回動係止片７１のフック部７１０の爪部に当接し、爪部を押し上げることで、回動係止片７１が上方に回動し、回動係止片７１が、板ばね１９を変形させながら、そのフック部７１０が水平状になるまで回動すると、ストッパ１８の先端部位と回動係止片７１の周縁部の段部７１１とが係止して水平状態が維持されて施錠状態となる。
【００１９】
次に、錠本体７の回動係止片７１のフック部７１０が係止する錠受８について説明する。錠受８は、対向状の側片８０，８１および底片８２から断面視コ字状に形成された上方が開口状の部材であり、対向する側片８０，８１間には係止ピン８３が設けてあり、施錠時には、錠本体７の回動係止片７１のフック部７０が係止ピン８３に係止するようになっている。錠受８の一方の側片８１の上端部位には係止部８１０が形成されており、一方、水切板６の第１片６０の先端には係止部６００が形成されており、錠受８は、一方の側片８１を縦片６２に近接させると共に、側片８１の係止部８１０と水切板６の第１片６０の先端の係止部６００とを係合させ、裏板１５を介して底片８２を第２片６１に螺子１６で固定することで、水切板６に設けられる。
【００２０】
解錠時において、図２及び図４下図に示すように、回動係止片７１のフック部７１０は傾斜状の姿勢にあり、フック部７０を形成する部位の上側の爪部のみが支持プレート７０に形成した溝７０１を横切るように延出している。建物開口部の閉鎖時に、シャッターカーテン３が下降していくと、溝７０１を横切るように延出するフック部の上側の爪が錠受８の係止ピン８３に当接し、その状態で係止ピン８３がフック部７１０の上側爪部に当接して回動係止片７１を回動させながら、溝７０１内を移動する。フック部７１０が水平状になるまで回動係止片７１が回転すると、フック部７０の下側の爪部が係止ピン８３の下側に回りこみ、この状態で、フック部７０が係止ピン８３に係合して施錠状態となる。このように、複数の施錠装置は、施錠時には、シャッターの閉鎖に伴って自動的に施錠されるように構成されている。施錠時には、シャッターカーテンの下端部位と下枠とが複数の部位で複数の施錠装置によって施錠されているので、施錠装置の破壊に時間を要し、防犯性能を向上させることができる。解錠時には、解錠操作レバー１２を上方に回動させるだけで、複数の施錠を一斉に解錠することができ操作性に優れる。
【００２１】
座板４に設けた複数の錠本体７のそれぞれの回動係止片７１が、下枠に設けた係止ピン８３に自動施錠するためには、各係止ピン８３の直上に各回動係止片７１のフック部７１０が位置するように位置決めする必要がある。しかしながら、本発明のように、複数の施錠装置を設けるとなると、設置時等において、座板側の錠本体と下枠側の錠受との位置合わせが難しくなる。図６乃至図８はこれに関連して改良された錠受を示す図であり、開口部幅方向における錠受８の位置調整が可能な錠受に係るものである。
【００２２】
図６は、他の実施例に係る建物開口部下方部位の縦断面図である。建物開口部の下面を形成する下枠を構成する水切板６は、基本的な構成は図５に示す水切板と同様であって、建物開口部の幅方向に延出する長手部材であり、断面視において、室内側に位置する傾斜状の第１片６０と室外側に位置する水平状の第２片６１とから段部状に形成されており、第１片６０と第２片６１とは、鉛直方向に延出する縦片６２によって連結されており、第２片６１の室外側先端には水切片６３が形成されている。第１片６０の先端部位と、第２片６１の基端側には、対向状に突片６０１，６１０が形成されており、上下の突片６０１，６１０と縦片６２とで形成される空間に錠受８が開口部の幅方向に摺動可能に受け入れられる。
【００２３】
図７は錠受の組立図、図８は錠受の部品図である。錠受８の基本構造は、既述の錠受８と同じであり、錠受８は、対向状の側片８０，８１および底片８２から断面視コ字状に形成された上方が開口状の部材であり、対向する側片８０，８１間には係止ピン８３が設けてあり、施錠時には、錠本体７の回動係止片７１のフック部７０が係止ピン８３に係止するようになっている。
【００２４】
一方の側片８０は他方の側片８１よりも小さい開口幅方向の寸法を有しており、側片８１は対向する側片８０よりはみ出した延出部８１１を有している。側片８１において、延出部８１１とは反対側の端部には、上下の突片６０１，６１０と縦片６２とで形成される上記空間の断面形状に対応するスライド部８１２が形成されており、側片８１の延出部８１１の端部には、小突起状のスライド部８１３が形成されている。スライド部８１２，８１３は、対向する側片８０とは反対側に突出している。延出部８１１の対向する側片８０とは反対側の面には螺子１６を介して裏板１７が設けてある。錠受８のスライド部８１２，８１３、裏板１７を、上述の上下の突片６０１，６１０と縦片６２とで形成される空間に側方から入れて、該空間内で開口部の幅方向に移動させながら、位置調整を行い、裏板１７に連結されている螺子１６を締めることで錠受８は所定位置において水切板８に固定される。
【図面の簡単な説明】
【００２５】
【図１】シャッター装置の概略正面図である。
【図２】開口部全閉時におけるシャッター装置の下端部位の室内側の部分正面図である。
【図３】開口部全閉時におけるシャッター装置の下端部位の縦断面図であり、左は施錠状態、右は解錠状態を示している。
【図４】座板側の錠本体を示す図であり、上図は施錠状態、下図は解錠状態を示す。
【図５】建物開口部下面の縦断面図であり、水切板および錠受を示している。
【図６】他の実施例に係る建物開口部下面の縦断面図であり、水切板および錠受を示している。
【図７】他の実施例に係る錠受を示す図である。
【図８】図７に示す錠受の部品図を示す図である。
【符号の説明】
【００２６】
１  ガイドレール
３  シャッターカーテン
４  座板
６  水切板
７  錠本体
７１  回動係止片
７１０  フック部
８  錠受
８３  係止ピン
１２  解錠操作レバー
１４  連繋レバー
【図１】
2005188238.tif 000003
【図２】
2005188238.tif 000004
【図３】
2005188238.tif 000005
【図４】
2005188238.tif 000006
【図５】
2005188238.tif 000007
【図６】
2005188238.tif 000008
【図７】
2005188238.tif 000009
【図８】
2005188238.tif 000010